(57)【要約】      （修正有）【課題】ハンディタイプのかき氷器であって、氷を削り取るカッター刃の突出高さを調整することにより、一台で異なる食感のかき氷を作ることができるかき氷器を提供する。【解決手段】円筒状の基台４と、円筒状の基台４に対して上側から装着され、上側に円形状の平坦面９を有し、平坦面９の半径方向の内側から半径方向の外側に向かって伸びていて平坦面９から斜め上側方向に向かって刃部が突出するカッター刃１０を備えている氷切削台８と、氷切削台８に対して上側から装着される円筒状の氷収容筒１１と、氷収容筒１１に対して上側から装着され氷収容筒１１に収容されている氷を氷切削台８の平坦面９の方向に向けて押さえつけつつ氷を氷収容筒１１の円周方向に強制的に回転させる回転駆動部３とを備えている。カッター刃１０の刃部が平坦面９から斜め上側方向に向かって突出する高さを調整する刃部突出高さ調整機構が氷切削台８に備えられている。【選択図】図２
0003205534.tif 000002
【実用新案登録請求の範囲】
【請求項１】
円筒状の基台と、
前記円筒状の基台に対して上側から装着され、上側に円形状の平坦面を有し、当該平坦面の半径方向の内側から半径方向の外側に向かって伸びていて前記平坦面から斜め上側方向に向かって刃部が突出するカッター刃を備えている氷切削台と、
前記氷切削台に対して上側から装着される円筒状の氷収容筒と、
前記氷収容筒に対して上側から装着され、前記氷収容筒に収容されている氷を前記氷切削台の前記平坦面の方向に向けて押さえつけつつ前記氷収容筒に収容されている氷を前記氷収容筒の円周方向に強制的に回転させる回転駆動部と
を備えているかき氷器であって、
前記カッター刃の前記刃部が前記平坦面から斜め上側方向に向かって突出する高さを調整する刃部突出高さ調整機構が前記氷切削台に備えられている
かき氷器。
【請求項２】
前記刃部突出高さ調整機構は前記平坦面の下面側に配備されている調整ダイヤルを回転させることで前記カッター刃の前記刃部が前記平坦面から斜め上側方向に向かって突出する高さを調整する請求項１のかき氷器。
【請求項３】
前記回転駆動部は外周径が１１ｃｍ〜１３ｃｍの円筒状体で、前記かき氷器の高さが３０ｃｍ〜３２ｃｍ、重量が１ｋｇ未満である請求項１又は２記載のかき氷器。
【考案の詳細な説明】
【技術分野】
【０００１】
この考案は、かき氷器に関する。特に、ハンディタイプのかき氷器であって、氷を削り取るカッター刃の刃部突出高さを調整することにより、一台で異なる食感のかき氷を作ることができるかき氷器に関する。
【背景技術】
【０００２】
従来から、かき氷器、例えば、電動かき氷器については種々の提案がされている。例えば、底台、機器台、転動機構、上蓋、蓋、刀具台、ソケット、氷導入部などの構成部品により構成され、転動機構により氷導入部を回転させ、小角氷を導入片により入刀具台の削り刃位置に導入してかき氷に削る電動かき氷器が提案されている（特許文献１）。
【０００３】
専用の大きな角氷を作る必要はなく、小角氷を使用でき、また小角氷を完全に削ることができるため、角氷を無駄にすることがなく、分解及び洗浄を容易にできるとされている。
【先行技術文献】
【特許文献】
【０００４】
【特許文献１】実用新案登録第３１２０２０３号
【考案の概要】
【考案が解決しようとする課題】
【０００５】
この考案は、ハンディタイプのかき氷器であって、氷を削り取るカッター刃の刃部突出高さを調整することにより、一台で異なる食感のかき氷を作ることができるかき氷器を提案することを目的にしている。
【課題を解決するための手段】
【０００６】
［１］
円筒状の基台と、
前記円筒状の基台に対して上側から装着され、上側に円形状の平坦面を有し、当該平坦面の半径方向の内側から半径方向の外側に向かって伸びていて前記平坦面から斜め上側方向に向かって刃部が突出するカッター刃を備えている氷切削台と、
前記氷切削台に対して上側から装着される円筒状の氷収容筒と、
前記氷収容筒に対して上側から装着され、前記氷収容筒に収容されている氷を前記氷切削台の前記平坦面の方向に向けて押さえつけつつ前記氷収容筒に収容されている氷を前記氷収容筒の円周方向に強制的に回転させる回転駆動部と
を備えているかき氷器であって、
前記カッター刃の前記刃部が前記平坦面から斜め上側方向に向かって突出する高さを調整する刃部突出高さ調整機構が前記氷切削台に備えられている
かき氷器。
【０００７】
［２］
前記刃部突出高さ調整機構は前記平坦面の下面側に配備されている調整ダイヤルを回転させることで前記カッター刃の前記刃部が前記平坦面から斜め上側方向に向かって突出する高さを調整する［１］のかき氷器。
【０００８】
［３］
前記回転駆動部は外周径が１１ｃｍ〜１３ｃｍの円筒状体で、前記かき氷器の高さが３０ｃｍ〜３２ｃｍ、重量が１ｋｇ未満である［１］又は［２］のかき氷器。
【考案の効果】
【０００９】
この考案によれば、ハンディタイプのかき氷器であって、氷を削り取るカッター刃の刃部突出高さを調整することにより、一台で異なる食感のかき氷を作ることができるかき氷器を提供することができる。
【図面の簡単な説明】
【００１０】
【図１】本考案の一実施形態に係るかき氷器を表す図であって、（ａ）は正面図、（ｂ）は側面図。
【図２】本考案の一実施形態に係るかき氷器を構成する部材の概要を分解して説明する正面図。
【図３】本考案の一実施形態に係るかき氷器を使用する際に氷が氷収容筒に収容される状態を説明する一部を省略した斜視図。
【図４】本考案の一実施形態に係るかき氷器に採用されている氷切削台を説明する斜視図。
【図５】本考案の一実施形態に係るかき氷器に採用されている刃部突出高さ調整機構を説明する斜視図。
【図６】本考案の一実施形態に係るかき氷器を用いてかき氷を作製している状態を説明する斜視図。
【考案を実施するための形態】
【００１１】
以下、添付図面を参照して本考案のかき氷器を説明する。
【００１２】
本考案のかき氷器１は電動かき氷器であって、円筒状の基台４と、基台４に対して上側から装着される下部筒体２と、下部筒体２に対して上側から装着される回転駆動部３とを備えている。
【００１３】
電源コード６の先の電源プラグ７を電源に差し込み、回転駆動部３に備えられているスイッチ５を押して回転駆動部３を駆動させてかき氷を作製する。
【００１４】
下部筒体２は円筒状の氷収容筒１１を外側から覆っており、氷収容筒１１は氷切削台８に対して上側から装着される。
【００１５】
氷切削台８は円筒状の基台４対して上側から装着される。氷切削台８は上側に円形状の平坦面９を備えている。氷切削台８はカッター刃１０を備えている。カッター刃１０は、平坦面９の半径方向の内側から半径方向の外側に向かって伸びていて平坦面９から斜め上側方向に向かって突出する刃部を備えている。
【００１６】
図２で概略説明しているように、円筒状の基台４に対して上側から氷切削台８を装着し、氷切削台８に対して上側から氷収容筒１１を装着し、更に、氷収容筒１１を外側から覆いつつ氷切削台８に対して下部筒体２を装着する。
【００１７】
回転駆動部３は、下側に、氷収容筒１１内に突入する回転円板１２を備えている。
【００１８】
図３図示のように、氷収容筒１１内に氷１５を収容し、下部筒体２に対して上側から回転駆動部３を装着すると回転円板１２が氷収容筒１１内に突入し、スプリング１３の付勢力によって氷収容筒１１に収容されている氷１５を氷切削台８の平坦面９の方向に向けて押さえつける。
【００１９】
回転駆動部３は図１図示のように円筒状体で外周径は１１ｃｍ〜１３ｃｍの範囲におさまるものである。回転駆動部３が上側から装着される下部筒体２も図１図示のように円筒状体で回転駆動部３のサイズに対応する外周径になるので、その外周径は１１ｃｍ〜１３ｃｍの範囲におさまるものである。
【００２０】
また、図１図示の状態のかき氷器１全体では、高さが３０ｃｍ〜３２ｃｍで、重量が１ｋｇ未満になっている。
【００２１】
そこで、氷収容筒１１内に氷１５を収容し、下部筒体２に対して上側から回転駆動部３を装着して回転円板１２で氷収容筒１１内に収容されている氷１５を氷切削台８の平坦面９の方向に向けて押さえつけつつ、図６図示のように、両手でかき氷器１を持ち、スイッチ５を押して回転駆動部３を駆動させることができる。これにより、回転駆動部３内に備えられている駆動手段によって回転円板１２が、氷収容筒１１に収容されている氷１５を氷切削台８の平坦面９の方向に向けて押さえつけつつ氷収容筒１１に収容されている氷１５を氷収容筒１１の円周方向に強制的に回転させる。
【００２２】
これによって、カッター刃１０の刃部によって氷１５が削られ、カッター刃１０の刃部と平坦面９との間に存在している隙間から削り取られた氷が落下し（図６）、かき氷を作製することができる。
【００２３】
このように、電動のかき氷器１は、使用者が両手で持って使用できる、ハンディタイプの、使い勝手が良いものになっている。
【００２４】
本考案のかき氷器１は、氷切削台８が、カッター刃１０の刃部が平坦面９から斜め上側方向に向かって突出する高さを調整する刃部突出高さ調整機構を備えている。
【００２５】
図５を参照してこの刃部突出高さ調整機構の一例を説明する。
【００２６】
図５図示の実施形態では、氷切削台８の平坦面９の下面側９ａに調整ダイヤル１４が配備されていて、この調整ダイヤル１４を回転させることでカッター刃１０の刃部が平坦面９から斜め上側方向に向かって突出する高さを調整することができる。
【００２７】
たとえば、図５において調整ダイヤル１４を時計回り方向に回転させることで、カッター刃１０の刃部が平坦面９から斜め上側方向に向かって突出する高さを低くする方向にカッター刃１０が移動する。すなわち、カッター刃１０が氷切削台８の平坦面９の下面側９ａ方向に向かって移動する。
【００２８】
この場合、図５において調整ダイヤル１４を反時計回り方向に回転させることで、カッター刃１０の刃部が平坦面９から斜め上側方向に向かって突出する高さを高くする方向にカッター刃１０が移動する。すなわち、カッター刃１０が氷切削台８の下面側９ａ側から平坦面９の方向に向かって移動する。
【００２９】
図５において調整ダイヤル１４を時計回り方向に回転させることで、カッター刃１０の刃部が平坦面９から斜め上側方向に向かって突出する高さを低くしたときには、カッター刃１０の刃部によって削り取られる氷１５は非常に薄くなり、柔らかい食感のかき氷を作製することができる。
【００３０】
図５において調整ダイヤル１４を反時計回り方向に回転させることで、カッター刃１０の刃部が平坦面９から斜め上側方向に向かって突出する高さを高くしたときには、カッター刃１０の刃部によって削り取られる氷１５が前記の場合よりも厚くなり、シャリシャリした食感のかき氷を作製することができる。
【００３１】
こうして一台のかき氷器で簡単に氷を削り取るカッター刃１０の突出高さを調整して、異なる食感のかき氷を作ることができる。
【００３２】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００３３】
１    かき氷器
２    下部筒体
３    回転駆動部
４    円筒状の基台
５    スイッチ
６    電源コード
７    電源プラグ
８    氷切削台
９    円形状の平坦面
９ａ  氷切削台の平坦面の下面側
１０  カッター刃
１１  円筒状の氷収容筒
１２  回転円板
１３  スプリング
１４  調整ダイヤル
１５  氷
【図１】
0003205534.tif 000003
【図２】
0003205534.tif 000004
【図３】
0003205534.tif 000005
【図４】
0003205534.tif 000006
【図５】
0003205534.tif 000007
【図６】
0003205534.tif 000008